(57)【要約】【課題】１年カレンダーの月単位の表示に対応させて、月単位毎に手紙等を区分けして収納することができる状差し機能を備えた簡素で安価な状差し付カレンダーを提供する。【解決手段】前面にカレンダー表示するためのカレンダー用スペース２を有する基本布地部３と、基本布地部３の上端に設けた基本布地部３を吊り下げるための吊り下げ用部４と、カレンダーを表示すると共に、手紙等を挿入するため、カレンダー用スペース２に設けたカレンダー兼状差し袋部５とを備えた状差し付カレンダー１であって、吊り下げ用部４は、基本布地部３の上端に沿って形成された袋縫い６と、袋縫い６内を貫通させた横棒７と、横棒７の両端に結着した吊り紐８とを備え、カレンダー兼状差し袋部５は、１〜１２月の各月に対応する３列４行に配列された上方に開放する小袋９，９…を備えている。【選択図】図１
0003127436.tif 000002
【実用新案登録請求の範囲】
【請求項１】
前面にカレンダー表示するためのカレンダー用スペースを有する基本布地部と、前記基本布地部を吊り下げるため、前記基本布地部の上端に設けた吊り下げ用部と、カレンダーを表示すると共に、手紙等を挿入するため、前記カレンダー用スペースに設けたカレンダー兼状差し袋部とを備えた状差し付カレンダーであって、
前記吊り下げ用部は、基本布地部の上端に沿って形成された袋縫いと、前記袋縫い内を貫通させた横棒と、前記横棒の両端に結着した吊り紐とを備え、
前記カレンダー兼状差し袋部は、前記カレンダー用スペースの最上段である第１行目に３列に設けられた１月、２月、３月用のカレンダーが夫々表示された上方開口の３つの小袋と、
前記カレンダー用スペースの第２行目に３列に設けられた４月、５月、６月用のカレンダーが夫々表示された上方開口の３つの小袋と、
前記カレンダー用スペースの第３行目に３列に設けられた７月、８月、９月用のカレンダーが夫々表示された上方開口の３つの小袋と、
前記カレンダー用スペースの第４行目に３列に設けられた１０月、１１月、１２月用のカレンダーが夫々表示された上方開口の３つの小袋とを備えたことを特徴とする状差し付カレンダー。
【請求項２】
前記基本布地部は、前記カレンダー用スペースの上方に表題を表示する表題部用スペースを有していることを特徴とする請求項１記載の状差し付カレンダー。
【請求項３】
前記基本布地部は、前記カレンダー用スペースの下方に広告を表示する広告用スペースを有していることを特徴とする請求項１又は２記載の状差し付カレンダー。
【請求項４】
前記基本布地部に代えて、樹脂シート又は紙を用いることを特徴とする請求項１乃至３のうちいずれか一に記載の状差し付カレンダー。
【請求項５】
前記カレンダー兼状差し袋部は、布地、樹脂シート又は紙によって形成されることを特徴とする請求項１乃至４のうちいずれか一に記載の状差し付カレンダー。
【請求項６】
前記吊り下げ用部に代えて、前記基本布地部の上端を保持する保持部と、前記保持部に固着され、他部材に係止させるための係止部とを備えた保持・係止部材を具備することを特徴とする請求項１乃至５のうちいずれか一に記載の状差し付カレンダー。
【請求項７】
前記カレンダー兼状差し袋部に代えて、各月に対応する小袋が夫々前記基本布地部の後面に設けられて、前記基本布地部の前面に開口するように構成された状差し袋部を備え、前記基本布地部前面の前記開口下方近傍に各月のカレンダーが夫々表示されることを特徴とする請求項１乃至６のうちいずれか一に記載の状差し付カレンダー。
【請求項８】
前記カレンダー兼状差し袋部は、前記３列４行の小袋の配列構成に代えて、前記カレンダー用スペースの最上段である第１行目に４列に設けられ、１月、２月、３月、４月用のカレンダーが夫々表示された上方開口の４つの小袋と、
前記カレンダー用スペースの第２行目に４列に設けられ、５月、６月、７月、８月用のカレンダーが夫々表示された上方開口の４つの小袋と、
前記カレンダー用スペースの第３行目に４列に設けられ、９月、１０月、１１月、１２月用のカレンダーが夫々表示された上方開口の４つの小袋とを備えた４列３行の小袋の配列構成に形成されることを特徴とする請求項１乃至７のうちいずれか一に記載の状差し付カレンダー。
【請求項９】
前記カレンダー兼状差し袋部は、比較的広いシートで同じ行の全小袋に相当する大袋を形成し、前記大袋を縦の縫い目により各月の小袋に仕切ることにより形成することを特徴とする請求項１乃至８のうちいずれか一に記載の状差し付カレンダー。
【考案の詳細な説明】
【技術分野】
【０００１】
本考案は、カレンダーの表示に対応させて、月単位毎に手紙等を区分けして収納することができる状差し機能を備えた状差し付カレンダーに関する。
【背景技術】
【０００２】
この種従来の手紙等を挿入するための状差し機能を備えた状差し付カレンダーは既に知られている。
例えば、特許文献１は、掛け紐を取付けた基布の前面に、横方向に７個、縦方向に５個の合計３５個の状差し袋部を形成し、袋部前面に１〜３１日の日付表示を施した状差し付カレンダーが記載されている。
又、特許文献２は、上縁部と下縁部の左右両側を側柱部で挟み、上縁部と下縁部との間に形成された開口部に、日付等を設けるための日付表示部を梯子段状に設け、日付表示部の裏面に受け箱又はポケット状に状差し部を設けた状差し付きカレンダーが記載されている。
【特許文献１】実開昭６２−１３５１７０号公報
【特許文献２】特開２００３−１３１５７１号公報
【考案の開示】
【考案が解決しようとする課題】
【０００３】
特許文献１及び２は、何れもカレンダーの表示に対応させて、一日毎に手紙等を区分けして収納することができる状差し機能を備えた状差し付カレンダーである。
然しながら、特許文献１及び２は、一ヶ月単位のカレンダーであり、１年では１２ヶ月分の合計１２個のカレンダーを必要とし、１月単位で取り替える必要があり、取替えが煩雑であると共に、全体としても、大きくなり、或いは、嵩張る等の問題点がある。
そこで、１年分を表示するカレンダーに、手紙等を区分けして収納する状差し機能を備え、且つ、簡素で安価な状差し付カレンダーが望まれている。
【０００４】
以上の現状に鑑み、本考案は、１年カレンダーの月単位の表示に対応させて、月単位毎に手紙等を区分けして収納することができる状差し機能を備えた簡素で安価な状差し付カレンダーを提供することを目的とする。
【課題を解決するための手段】
【０００５】
上記の課題を解決すべく、本考案は以下の構成を提供する。
請求項１に係る考案は、前面にカレンダー表示するためのカレンダー用スペースを有する基本布地部と、前記基本布地部を吊り下げるため、前記基本布地部の上端に設けた吊り下げ用部と、カレンダーを表示すると共に、手紙等を挿入するため、前記カレンダー用スペースに設けたカレンダー兼状差し袋部とを備えた状差し付カレンダーであって、
前記吊り下げ用部は、基本布地部の上端に沿って形成された袋縫いと、前記袋縫い内を貫通させた横棒と、前記横棒の両端に結着した吊り紐とを備え、
前記カレンダー兼状差し袋部は、前記カレンダー用スペースの最上段である第１行目に３列に設けられた１月、２月、３月用のカレンダーが夫々表示された上方開口の３つの小袋と、
前記カレンダー用スペースの第２行目に３列に設けられた４月、５月、６月用のカレンダーが夫々表示された上方開口の３つの小袋と、
前記カレンダー用スペースの第３行目に３列に設けられた７月、８月、９月用のカレンダーが夫々表示された上方開口の３つの小袋と、
前記カレンダー用スペースの第４行目に３列に設けられた１０月、１１月、１２月用のカレンダーが夫々表示された上方開口の３つの小袋とを備えたことを特徴とする状差し付カレンダーを提供するものである。
【０００６】
請求項２に係る考案は、前記基本布地部は、前記カレンダー用スペースの上方に表題を表示する表題部用スペースを有していることを特徴とする請求項１記載の状差し付カレンダーを提供するものである。
【０００７】
請求項３に係る考案は、前記基本布地部は、前記カレンダー用スペースの下方に広告を表示する広告用スペースを有していることを特徴とする請求項１又は２記載の状差し付カレンダーを提供するものである。
【０００８】
請求項４に係る考案は、前記基本布地部に代えて、樹脂シート又は紙を用いることを特徴とする請求項１乃至３のうちいずれか一に記載の状差し付カレンダーを提供するものである。
【０００９】
請求項５に係る考案は、前記カレンダー兼状差し袋部は、布地、樹脂シート又は紙によって形成されることを特徴とする請求項１乃至４のうちいずれか一に記載の状差し付カレンダーを提供するものである。
【００１０】
請求項６に係る考案は、前記吊り下げ用部に代えて、前記基本布地部の上端を保持する保持部と、前記保持部に固着され、他部材に係止させるための係止部とを備えた保持・係止部材を具備することを特徴とする請求項１乃至５のうちいずれか一に記載の状差し付カレンダーを提供するものである。
【００１１】
請求項７に係る考案は、前記カレンダー兼状差し袋部に代えて、各月に対応する小袋が夫々前記基本布地部の後面に設けられて、前記基本布地部の前面に開口するように構成された状差し袋部を備え、前記基本布地部前面の前記開口下方近傍に各月のカレンダーが夫々表示されることを特徴とする請求項１乃至６のうちいずれか一に記載の状差し付カレンダーを提供するものである。
【００１２】
請求項８に係る考案は、前記カレンダー兼状差し袋部は、前記３列４行の配列に代えて、前記カレンダー用スペースの最上段である第１行目に４列に設けられ、１月、２月、３月、４月用のカレンダーが夫々表示された上方開口の４つの小袋と、
前記カレンダー用スペースの第２行目に４列に設けられ、５月、６月、７月、８月用のカレンダーが夫々表示された上方開口の４つの小袋と、
前記カレンダー用スペースの第３行目に４列に設けられ、９月、１０月、１１月、１２月用のカレンダーが夫々表示された上方開口の４つの小袋とを備えたことを特徴とする請求項１乃至８のうちいずれか一に記載の状差し付カレンダーを提供するものである。
【００１３】
請求項９に係る考案は、前記カレンダー兼状差し袋部は、比較的広いシートで同じ行の全小袋に相当する大袋を形成し、前記大袋を縦の縫い目により各月の小袋に仕切ることにより形成することを特徴とする請求項１乃至８のうちいずれか一に記載の状差し付カレンダーを提供するものである。
【考案の効果】
【００１４】
本考案の請求項１記載の考案によれば、１年カレンダーの月単位の表示に対応させて、月単位毎に手紙等を区分けして収納することができる状差し機能を備えた簡素で安価な状差し付カレンダーを提供することができる。
又、一ヶ月単位で手紙等を纏めることができるので、探す場合容易かつ確実である。
更に、一枚ものに構成されているので、見やすく保管整理しやすい。
更に又、布で構成されているから、１年間の経過後折り畳んでそのまま保管できる。
【００１５】
請求項２記載の考案によれば、前記基本布地部は、前記カレンダー用スペースの上方に表題を表示する表題部用スペースを有しているので、カレンダー用スペースの上方に表題を表示することができる。
【００１６】
請求項３記載の考案によれば、前記基本布地部は、前記カレンダー用スペースの下方に広告を表示する広告用スペースを有しているので、カレンダー用スペースの下方に広告を表示することができる。
【００１７】
請求項４記載の考案によれば、前記基本布地部に代えて、樹脂シート又は紙を用いるので、樹脂シート又は紙のいずれかを選択して用いることができる。
【００１８】
請求項５記載の考案によれば、前記カレンダー兼状差し袋部は、布地、樹脂シート又は紙によって形成されるので、布地、樹脂シート又は紙のいずれかを選択して用いることができる。
【００１９】
請求項６記載の考案によれば、前記吊り下げ用部に代えて、前記基本布地部の上端を保持する保持部と、前記保持部に固着され、他部材に係止させるための係止部とを備えた保持・係止部材を具備するので、保持・係止部材によって、状差し付カレンダーを安定して保持・係止できる。
【００２０】
請求項７記載の考案によれば、前記カレンダー兼状差し袋部に代えて、各月に対応する小袋が夫々前記基本布地部の後面に設けられて、前記基本布地部の前面に開口するように構成された状差し袋部を備え、前記基本布地部前面の前記開口下方近傍に各月のカレンダーが夫々表示されるので、封筒等を入れた場合もその膨らみが目立たず、カレンダーの表示部が比較的変形しないので、外観上も好ましく、更に、基本布地部にカレンダーを印刷できるので、印刷し易く、縫製も比較的容易である。
【００２１】
請求項８記載の考案によれば、前記カレンダー兼状差し袋部は、前記３列４行の配列に代えて、前記カレンダー用スペースの最上段である第１行目に４列に設けられ、１月、２月、３月、４月用のカレンダーが夫々表示された上方開口の４つの小袋と、
前記カレンダー用スペースの第２行目に４列に設けられ、５月、６月、７月、８月用のカレンダーが夫々表示された上方開口の４つの小袋と、
前記カレンダー用スペースの第３行目に４列に設けられ、９月、１０月、１１月、１２月用のカレンダーが夫々表示された上方開口の４つの小袋とを備えるので、比較的に横広がりとなり、人が両眼で見た場合に、カレンダーも状差しも見易くなる。
【００２２】
請求項９記載の考案によれば、前記カレンダー兼状差し袋部は、比較的広いシートで同じ行の全小袋に相当する大袋を形成し、前記大袋を縦の縫い目により各月の小袋に仕切ることにより形成するので、裁断、縫製等の作業が容易になる。
【考案を実施するための最良の形態】
【００２３】
以下、実施例を示した図面を参照しつつ本考案の実施の形態を説明する。
図１に於いて、１は本考案の第１実施例の状差し付カレンダーであり、状差し付カレンダー１は、前面にカレンダー表示するためのカレンダー用スペース２を有する基本布地部３と、基本布地部３を吊り下げるため、基本布地部３の上端に設けた吊り下げ用部４と、カレンダーを表示すると共に、手紙等を挿入するため、基本布地部３の前面の前記カレンダー用スペース２に設けたカレンダー兼状差し袋部５とを備えている。
【００２４】
そして、吊り下げ用部４は、基本布地部３の上端に沿って形成された袋縫い６と、袋縫い６内を貫通させた横棒７と、横棒７の両端に結着した吊り紐８とを備えている。
【００２５】
又、カレンダー兼状差し袋部５は、カレンダー用スペース２の最上段である第１行目に３列に設けられた１月、２月、３月用のカレンダーが夫々表示された上方開口の３つの小袋９，９…と、カレンダー用スペース２の第２行目に３列に設けられた４月、５月、６月用のカレンダーが夫々表示された上方開口の３つの小袋９，９…と、カレンダー用スペース２の第３行目に３列に設けられた７月、８月、９月用のカレンダーが夫々表示された上方開口の３つの小袋９，９…と、カレンダー用スペース２の第４行目に３列に設けられた１０月、１１月、１２月用のカレンダーが夫々表示された上方開口の３つの小袋９，９…とを備えている。
【００２６】
更に、前記基本布地部３は、カレンダー用スペース２の上方に表題を表示する表題部用スペース１０を有し、カレンダー用スペース２の下方に広告を表示する広告用スペース１１を有している。又、表題部用スペース１０の近傍に、風景画等の写真や、絵、図形等を表示する図形表示スペース１２を設けても良い。
【００２７】
尚、前記状差し付カレンダー１に於いて、前記基本布地部３に代えて、樹脂シート又は紙を用いることも可能である。樹脂シート又は紙を用いる場合、前記袋縫い６部分は、貼着によって同様の形状に形成しても良い。
又、カレンダー兼状差し袋部５は、布地によって形成されるのが好ましいが、樹脂シート又は紙によって形成されても良い。
【００２８】
更に、前記カレンダー兼状差し袋部５は、比較的広い帯状シートで同じ行の全小袋９，９…に相当する大袋１３を形成し、大袋１３を縦の縫い目により各月の小袋９，９…に仕切ることにより形成するのが好ましいが、各月の小袋９，９…を別々に形成し、基本布地部３に縫い付けても良い。尚、前記カレンダー兼状差し袋部５及び小袋９，９…が樹脂シート又は紙により形成される場合は、縫い付ける方法に代えて、貼着により形成しても良い。
【００２９】
図２は、本考案の状差し付カレンダー１の側面縦断面図であり、状差し付カレンダー１は、袋縫い６内を貫通させた横棒７が吊り紐８により壁（図示せず）等の他部材に吊下されることにより、横棒７が水平状態になり、基本布地部３を水平に吊下する。
そして、基本布地部３の前面に４段に形成された各月の小袋９，９…は、底部と両側部を基本布地部３に縫い付けられ、上端が基本布地部３との間で開口部１４を形成している。この開口部１４から封筒等を差し込むことができる。
【００３０】
図３は、本考案の第２実施例の状差し付カレンダー２１を示し、状差し付カレンダー２１は、前記状差し付カレンダー（図１に於いて１）の前記吊り下げ用部（図１に於いて４）に代えて、基本布地部３の上端を全長に及んで保持する保持部２２と、保持部２２に固着されると共に、保持部２２から上方に突設し、他部材（図示せず）に係止させるための係止部２３とを備えた保持・係止部材２４を具備するものである。
前記状差し付カレンダー２１は、保持・係止部材２４によって、前記状差し付カレンダー（図１に於いて１）と同様に、安定して保持・係止される。
【００３１】
図４は、本考案の第３実施例の状差し付カレンダー３１を示し、状差し付カレンダー３１は、前記状差し付カレンダー（図１に於いて１）のカレンダー兼状差し袋部（図１に於いて５）に代えて、各月に対応する小袋３２が夫々基本布地部３の後面（裏面）に設けられて、基本布地部３の前面に開口３３するように構成された状差し袋部３４を備え、基本布地部３前面の開口３３下方近傍に各月のカレンダーが夫々表示されるように構成されたものである。
前記状差し付カレンダー３１は、小袋３２に封筒等を入れた場合も、前面側から見た時、その膨らみが目立たず、カレンダーの表示部も比較的変形しないので、外観上も好ましく、更に、基本布地部３に直接カレンダーを印刷できるので、印刷し易く、縫製も比較的容易である。
尚、前記状差し袋部３４は、小袋３２を個々に縫い付けても良いが、比較的広いシートを断面略Ｕ字状に折り曲げて同じ行の全小袋３２，３２…に相当する大袋（図示せず）を形成し、その大袋を縦の縫い目により各月の小袋３２に仕切ることにより形成することも可能である。
又、前記小袋３２は、封筒等を挿入しやすいように比較的柔らかい布地で作成することも可能である。
更に、前記小袋３２は、図４に示す如く、断面略Ｕ字状に形成したが、例えば、基本布地部３との間に袋状のスペースを作る等、袋状であれば、どのような形でも良い。
【００３２】
図５は、本考案の第４実施例の状差し付カレンダー４１を示し、状差し付カレンダー４１は、前記状差し付カレンダー（図１に於いて１）の小袋９，９…が３列４行に配列されたカレンダー兼状差し袋部（図１に於いて５）に代えて、小袋９，９…の配列を変化させたカレンダー兼状差し袋部４２を備えたものであり、カレンダー兼状差し袋部４２は、カレンダー用スペース２の最上段である第１行目に４列に設けられ、１月、２月、３月、４月用のカレンダーが夫々表示された上方開口の４つの小袋９，９…と、カレンダー用スペース２の第２行目に４列に設けられ、５月、６月、７月、８月用のカレンダーが夫々表示された上方開口の４つの小袋９，９…と、カレンダー用スペース２の第３行目に４列に設けられ、９月、１０月、１１月、１２月用のカレンダーが夫々表示された上方開口の４つの小袋９，９…とを備えたものである。
前記状差し付カレンダー４１は、比較的に横広がりとなるので、人が両眼で見た場合に、カレンダーも状差しも見易くなる利点がある。
【００３３】
尚、状差し付カレンダー４１に於いて、小袋が４列３行に配列されたカレンダー兼状差し袋部を備えたが、これに限定されず、カレンダー兼状差し袋部は、小袋が５列３行、６列２行、１２列１行、２列６行、又は、１列１２行等、任意に配列されても良く、然る時も、１年カレンダーの月単位の表示に対応させて、月単位毎に手紙等を区分けして収納することができる状差し機能を備えた簡素で安価な状差し付カレンダーを提供することができる。
【図面の簡単な説明】
【００３４】
【図１】本考案による第１実施例の状差し付カレンダーの正面図である。
【図２】本考案による第１実施例の状差し付カレンダーの側面縦断面図である。
【図３】本考案による第２実施例の状差し付カレンダーの正面図である。
【図４】本考案による第３実施例の状差し付カレンダーの側面縦断面図である。
【図５】本考案による第４実施例の状差し付カレンダーの正面図である。
【符号の説明】
【００３５】
１，２１，３１，４１  状差し付カレンダー
２  カレンダー用スペース
３  基本布地部
４  吊り下げ用部
５，４２  カレンダー兼状差し袋部
６  袋縫い
７  横棒
８  吊り紐
９，３２  小袋
１０  表題部用スペース
１１  広告用スペース
１３  大袋
２２  保持部
２３  係止部
２４  保持・係止部材
３３  開口
３４  状差し袋部
【図１】
0003127436.tif 000003
【図２】
0003127436.tif 000004
【図３】
0003127436.tif 000005
【図４】
0003127436.tif 000006
【図５】
0003127436.tif 000007